(57)【要約】      （修正有）【課題】内箱部と外箱部を一枚の展開図形シートから折り曲げ加工して商品の中身を箱詰めし、組立完了と同時に密封することでパッケージコストを低く抑え、購買者が開封後はロック状態で保管できる安全面と利便性に優れた包装箱を提供する。【解決手段】内箱部２と外箱部３を有し、それら内箱部と外箱部とをつなぐ部分にパッケージ開封用の切取短冊部４を有している。内箱部を内側に巻き込むようにして外箱部を伊達巻状に折り曲げ、必要個所を接着して箱体に組み立てる。箱体外面に露見させた開封用の切取短冊部を切り取って除去すると、一体化されていた内箱部と外箱部とのつなぎが分断され、内箱部が外箱部から引き出し可能となり、商品である中身を容易に取り出し易くなる。また、中身を使用して残りを保管する場合、特に乳幼児が中身を安全上取り出せないようにロック状態にして保管でき、機能性に優れ、安全面と利便性に優れた包装箱１となる。【選択図】図１
2008285176.tif 000002
【特許請求の範囲】
【請求項１】
単一の展開図形シートを折り曲げ加工して組み立てられる内箱部と外箱部を有し、またそれら内箱部と外箱部とをつなぐ部分にパッケージ開封用の切取短冊部を有する包装箱であって、
前記内箱部を内側に巻き込むようにして前記外箱部を伊達巻状に前記展開図形シート全体を折り曲げ、折り曲げ工程で必要個所を接着して箱体に組み立てかつ商品の中身を箱詰めして収納すると共に、箱体外面に露見させた前記切取短冊部を切り取って除去することによって前記内箱部と前記外箱部との繋ぎが分断され、前記内箱部の大部分を前記外箱部から引き出せるようにすることによって前記内箱部から前記中身を容易に取り出せるよう構成してなっていることを特徴とする包装箱。
【請求項２】
前記展開図形シートが少なくとも、
それぞれ折線を介して連なる２つの主面部、２つの側面部、入口蓋部および底蓋部からなる６面部を有し、かつ箱体に組み立てるための必要個所の糊代部を有してなっている前記内箱部および前記外箱部と、
前記外箱部の最端に設けられて折り曲げられ、箱体として組立後の前記外箱部の外面に接着される長窓付きの折り返し部と、
組立後は前記折り返し部の長窓から外部に露見しており、前記内箱部および前記外箱部を分断するための切取線によって繋がっているパッケージ開封用の前記切取短冊部と、
からなっていることを特徴とする請求項１に記載の包装箱。
【請求項３】
購買後に前記切取短冊部を前記切取線から切り取って除去することによって、前記内箱部が前記外箱部から引き出し可能となることを特徴とする請求項２に記載の包装箱。
【請求項４】
折り曲げによる組立工程において箱体として組み立てられた状態の前記内箱部に商品の中身が箱詰めされ、パッケージ商品として購買者が前記切取短冊部を切り取って除去してパッケージ開封することにより、前記内箱部を前記外箱部から引き出して商品の中身が取り出し可能となることを特徴とする請求項１乃至３のいずれか１項に記載の包装箱。
【請求項５】
切り取って除去された前記切取短冊部の一部が除去後にストッパ部として前記内箱部に残るように構成され、前記外箱部から大部分が引き出される前記内箱部の移動を前記折り返し部の長窓の端部に前記ストッパ部を当接させることで規制することを特徴とする請求項１乃至４のいずれか１項に記載の包装箱。
【請求項６】
前記外箱部の一部に設けた切り起こし線からフラップが購買者によって切り起こされ、前記内箱部に設けた細孔状のスリットに前記フラップを差し込むことにより、中身の保管中は前記内箱部が前記外箱部から引き出されないようにロックすることを特徴とする請求項１乃至５のいずれか１項に記載の包装箱。
【請求項７】
前記フラップおよび前記スリットによって、中身の保管中にチャイルドロックする機能を具備させてなっていることを特徴とする請求項６に記載の包装箱。
【発明の詳細な説明】
【技術分野】
【０００１】
本発明は、たとえばスティック状の菓子類、あるいは一個ずつ使い捨てされるカプセル状の医薬品など商品の中身を密封してパッケージできるようにした包装箱に関するものである。
【背景技術】
【０００２】
一般に、商品を収納して店頭販売するための包装パッケージ（以下、「包装箱」という）としては、商品の販売価格に反映することから箱体外観のデザインや見栄えを配慮しつつ製造コストをできるだけ抑えることが求められる。パッケージコストの低減という観点から提案されたものに、たとえば特許文献１に開示された包装箱がある。
【０００３】
一方、商品の中身を使用時に取り出し易くしたり、また使い残した中身の品質維持のための保管性などといった観点から、中身を収納した内箱を表装外箱から引き出すようにした内側と外側の箱体構造によるパッケージ商品の多くを市中でみることができる。ユーザがそうした箱体構造の商品パッケージを購入後に開封し、商品の中身が１個ずつ使い捨てされる医薬品などの場合は特に、残りを内箱に厳重に密閉して保管することが望まれ、内箱と外箱による箱体構造の包装箱が便利で多用される。
【０００４】
内箱と外箱からなる包装箱にあっては、普通、内箱として組み立てるための展開図形シートと、外箱として組み立てるための展開図形シートが、それぞれ別々に厚手の紙質素材などをプレス加工で打ち抜いて形成される。箱体が内外の複数からなっておれば、内箱と外箱を製作するための展開図形シートの数だけ複数の金型が準備される。金型で打ち抜き加工された内箱用と外箱用の展開図形シートは、それぞれ山谷折用の折線、ミシン目線などによる切断線、そして弱目線などが同時にプレス加工でもって形成される。そのようにして得られた展開図形シートは、折り曲げ加工工程、接着工程、商品中身の箱詰め工程などを経て箱体として組み立てられ、最終的には安全面や品質保持のため、そして外観見栄えのために表装ラッピングを施して密封され、出荷による物流を経る。
【０００５】
【特許文献１】特開２００３−２５２３２８号公報
【発明の開示】
【発明が解決しようとする課題】
【０００６】
ところで、内箱と外箱からなっている包装箱の場合、パッケージコストという点において複数の金型の製作費を含めると、勢い商品の販売価格にまで反映する。それについては、上記特許文献１に開示されている包装箱の場合、一枚の展開図形シートでもって内箱部と外箱部とを同時加工する。しかしながら、その場合でも商品の中身を内箱部に箱詰めしてパックし、それをラッピングして表装するまでには非常に多くの工程を経るために、コスト高となっているのが現状である。
【０００７】
また、商品の中身がたとえばスティック形状の菓子類とか、１個ずつパックごと切り取って使い捨てされる医薬品などの場合、蓋になっている外箱を内箱から取り外すようにした構造の包装箱にあっては、その外箱を取り外したり、再び内箱にかぶせて蓋をするのは意外に手間を要して面倒なものであり、しかも長い形状の中身を取り出しづらい。
【０００８】
さらに、外箱からスライドさせて内箱を引き出す引き出し式にあっては、内箱を中途半端に引き出して開けると長い形状の中身が取り出せなかったり、完全に内箱を引き抜いてしまうと、再び外箱に収めるのに手間取る不具合がある。
【０００９】
加えて、商品の中身が前述の医薬品などにあっては、残った中身を乳幼児が勝手に取り出せないように厳重に保管する必要が多々ある。しかしながら、これまでの通常の内外箱式の包装箱にあっては通称かかるチャイルドロック機能を具備しておらず、乳幼児の親である購買者のユーザ自らが工夫して紐など用いて緊縛状態で保管せざるを得ないといったように、ユーザの利便性を考慮したユーザビリティに欠ける不具合がある。
【００１０】
以上から、本発明の目的は、内箱と外箱が一枚の展開図シートを折り曲げ加工して組み立てされ、組立工程の途中で商品の中身を箱詰めして組立完了と同時に密封し、購買者が開封して中身を取り出し易く、しかも製造コストの低く抑えられる包装箱を提供することにある。
【００１１】
また、本発明の目的は、購買者が開封して商品の中身を使用して残りを保管する場合、特に乳幼児がその中身を容易に取り出せないようにするチャイルドロック機能を備え、安全面と利便性に優れ、かつ機能性に優れた包装箱を提供する。
【課題を解決するための手段】
【００１２】
上記目的を達成するために本発明の代表的な包装箱は、単一の展開図形シートを折り曲げ加工して組み立てられる内箱部と外箱部を有し、またそれら内箱部と外箱部とをつなぐ部分にパッケージ開封用の切取短冊部を有する包装箱であって、前記内箱部を内側に巻き込むようにして前記外箱部を伊達巻状に前記展開図形シート全体を折り曲げ、折り曲げ工程で必要個所を接着して箱体に組み立てかつ商品の中身を箱詰めして収納すると共に、箱体外面に露見させた前記切取短冊部を切り取って除去することによって前記内箱部と前記外箱部との繋ぎが分断され、前記内箱部の大部分を前記外箱部から引き出せるようにすることによって前記内箱部から前記中身を容易に取り出せるように構成してなっていることを特徴とするものである。
【発明の効果】
【００１３】
本発明の包装箱によれば、一枚の展開図シートから内箱部と外箱部を折り曲げ加工し、商品中身を箱詰めして組立完了時点で切取短冊部によって内箱部と外箱部がつながって密封された状態にパッケージされる。そのためパッケージコストが低く抑えられ、機能性に優れた包装箱を提供できる。また、購買者が開封して商品の中身を使用して残りを保管する場合、特に乳幼児が商品中身を安全上取り出せないようにロック状態にして保管できるので、安全面と利便性に優れた包装箱を提供することができる。
【発明を実施するための最良の形態】
【００１４】
以下、本発明に係る包装箱の好適な実施形態について図面を参照して詳記する。
【００１５】
図１(ａ)，（ｂ）は、本実施形態の包装箱１の裏側外観と表側外観を示す。包装箱１は内箱部２と外箱部３からなっており、内箱部２の内部に図５に示す商品の中身５０を収容して出荷され、店頭販売される状態を示している。図示は省略してあるが、内箱部２と特に外箱部３の表面には外観デザインを配慮した商品名文字や画像が印刷され、透明質のフィルムなどによって表装ラッピングされている。図２に示すように、かかるパッケージ商品としての包装箱１を購入したユーザは、使用に際して開封用の切取短冊部４を引きちぎって取り除く。それによって、外箱部３から内箱部２を引き出せるようになり、商品である中身５０を取り出して使用することができる。
【００１６】
ここで、図３に示すように、本実施形態の包装箱１は内箱部２と外箱部３を一枚の展開図形シートＳから組み立てられる。図１および図２を参照して、図３において包装箱１の各部について説明する。
【００１７】
展開図形シートＳは、大別して内箱部２と外箱部３を有し、それら内外箱部２，３の間に切取短冊部４を設けてつなげた一枚シートとして形成されている。
【００１８】
内箱部２は、矩形状の主面部２１，２２を有し、図３を平面図として見た状態でそれら主面部２１，２２の間に側面部２３が折線Ｌ１，Ｌ２を介して連接して設けられている。折線Ｌ１，Ｌ２は、図面や組立から見た方向によって山折線または谷折線となる。一方の主面部２１の対向する二つの辺にはそれぞれ蓋部２１ａ，２１ｂが折線Ｌ３，Ｌ４を介して設けられ、また主面部２１の一辺には糊代部２１ｃが折線Ｌ５を介して設けられている。また、他方の主面部２２においても、対向する二つの辺にそれぞれ蓋部２２ａ，２２ｂが折線Ｌ６，Ｌ７を介して設けられ、他の一辺に側面部２４が折線Ｌ８を介して設けられている。また、側面部２３，２４にはおいても、それらの対向する二つの辺にそれぞれ小片の蓋つなぎ２３ａ，２３ｂと２４ａ，２４ｂが折線Ｌ９，Ｌ１０，Ｌ１１，Ｌ１２を介して設けられている。
【００１９】
また、内箱部２においては、図１（ｂ）に示す外観のパッケージ商品状態でユーザが購入後、ユーザが包装箱１を開封して商品の中身５０を容易に取り出せるよう、組立後の内箱部２の口部周辺を広く切り取って除去できるようになっている。すなわち、図３の展開図形シートＳで示すように、内箱部２の主面部２２に切取線Ｂ１，Ｂ２が設けてある。ユーザが組立後の内箱部２の口部を広く開封を望むとき、第一段階では切取線Ｂ１から、第二２段階では切取線Ｂ２から切り取るなどして、除去部Ｂを切り取って捨てることで広く開封できるようになっている。
【００２０】
一方、外箱部３においても矩形状の主面部３１，３２を有し、それら主面部３１，３２間には側面部３３が折線Ｌ１３，Ｌ１４を介して設けられて連接しており、一方の主面部３１の一辺には折線Ｌ１５を介して側面部３４が設けられている。さらに、その側面部３４の他の一辺には折線Ｌ１６を介して折り返し部３５が設けられている。この折り返し部３５には折線Ｌ１５に跨って上記切取短冊部４を組立後に覗かせるための長窓３５ａが切り欠かれて開口している。また、主面部３１，３２のそれぞれ一辺には組立後にユーザが指ｆを当てて内箱部２を引き出し易くするための切欠凹部３１ａ，３２ａが設けられている。さらには、主面部３２と側面部３３に双方に跨って折線Ｌ１４上に図３中破線で示す三辺の切断線Ｂ３と一辺の折線Ｌ１８とで囲まれた形状の通称チャイルドロック機能を有する後述の引き出し防止フラップ３６が設けられている。
【００２１】
ここで、上記切取短冊部４については、展開図形シートＳの状態では内箱部２と外箱部３とをつないで一枚の展開図とする役割を有しているが、図２に示すように、ユーザが開封に際して指ｆで摘んでその切取短冊部４を引きちぎって除去する。すなわち、切取短冊部４はその両側に設けたミシン目などによる切取線Ｂ４で内箱部２側の側面部２４と外箱部３側の側面部３２とにつながっている。購入後、ユーザが指Ｆで摘んでその切取短冊部４を引きちぎって除去すると、外箱部３から内箱部２をスライドさせて自由に移動できるようになり、商品の中身５０を内箱部２から取り出し可能となる。その意味から、切取短冊部４は内箱部２と外箱部３がつながって一体化したロック状態から、そのつながりを切るロック解除の両機能を果たすための重要な部材である。さらに、この場合の切取短冊部４に備わる要点として、ユーザによって引きちぎられると、その切取短冊部４の一部が内箱部２側の側面部２４に「ストッパ部４１」として残ることである。このストッパ部４１によって、ユーザが内箱部２を外箱部３から引き出す際、内箱部２を抜き過ぎて外箱部３から完全に脱落する不都合を規制し、内箱部２から中身５０が不用意にこぼれ落ちないようにするのに有効である。そして、そのストッパ部４１に規制されるまで内箱部２の大部分を外箱部３からスライドさせて引き出せる形になるから、中身５０が特にスティック形状（長い棒状）の菓子類とか、１個ずつ切り取って使い捨てする医薬品を内箱部２から非常に取り出し易く、利便性に優れたものとなる。
【００２２】
ここで、展開図形シートＳの図３を参照し、内箱部２に中身５０を充填して商品パッケージ化するまでの包装箱製造工程の一例について、図４および図５を参照して説明する。
【００２３】
≪展開図形シートの型抜き工程≫
包装箱１の材料であるたとえば厚手紙質の素材シートを金型で打ち抜き加工して一枚物の展開図形シートＳを型抜きする。この型抜き加工と同時に折線Ｌ１〜Ｌ１８と、ミシン目線などによる切断線Ｂ３や切取線Ｂ１，Ｂ２，Ｂ４と、切欠凹部３１ａ，３２ａなどもプレス加工で形成される。これによって図３の展開図形シートＳを得る。
【００２４】
≪折り曲げ工程≫
次工程では、折り曲げ加工機（ベンダー）などに展開図形シートＳがセットされ、図３の左側の内箱部２から右側の外箱部３にむけて、左端の糊代部２１ｃを折線Ｌ５から山折りするように折り曲げ、続いて主面部２１と主面部２２を側面部２３を介して内側に巻き込むようにして折線Ｌ１，Ｌ２から折り曲げる。それと同時的に蓋部２１ａ，２１ｂと２２ａ，２２ｂ、そして蓋つなぎ２３ａ，２３ｂも各折線から折り曲げる。そのようにして内箱部２を内部に巻き込むようにして外箱部３を折り曲げて箱体となる。内箱部２側の糊代部２１ｃと外箱部３側の折り返し部３５にはそれぞれたとえば感圧性接着剤などが塗布してあり、ベンダーによる折り曲げ加工時に相手側に接着接合され、箱体長手方向の両側が未だ開放されている状態の包装箱１が組立成形される（図４参照）。ここまでの組立工程で、切取短冊部４が外箱部３の折り返し部３５に設けた長窓３５ａに適合して外部に覗くように設定してある。なお、この段階で箱体長手方向の後側で大蓋部２１ｂ，２２ｂが抱き合わせて接着接合され、包装箱１の底部となる。
【００２５】
≪中身充填工程≫
次工程に進み、図５に示すように、箱体として組み立てられた包装箱１では、内箱部２の一側において開口状態となっている入口側から、たとえば使い捨て薬品など１個ずつ取り外して使用できるようにしたカプセル容器状の中身５０を内箱部２に充填する。中身充填後、図１(ａ)，（ｂ）のように、内箱部２の入口側開口の蓋部２１ａ，２２ａどうしを互いに抱き合わせて接着接合し、中身５０を内箱部２に密封梱包することで商品パッケージとして出荷状態となる。
【００２６】
≪購入後の包装箱開封≫
図１(ａ)，（ｂ）のように、中身５０を収納した商品パッケージの包装箱１は店頭販売などされる。購入したユーザは、包装箱１を図１（ａ）の裏側状態にして、まず切取短冊部４を摘んで引きちぎる（図２参照）。それによって、内箱部２と外箱部の一体化したつながりが切断され、内箱部２を外箱部３から引き出し可能な状態になる。
【００２７】
次に、中身５０を内箱部２から取り出し易くするため、図６に示すように、ユーザは好みで内箱部２側の開口部を第一段階で切取線Ｂ１から切り取って広くする。さらに広くしようと思えば、第二段階で切取線Ｂ２から除去部Ｂを切り取って捨てる。そのように段取りして、図７に示すように、ユーザは外箱部３から大部分を引き出した内箱部２から中身５０を容易に取り出して使用することができる。また、中身取り出しの際、内箱部２が外箱部３から完全に抜け出て中身５０が抜け落ちないよう、ストッパ部４１が外箱部３側の長窓３５ａの端まで移動して突き当たり、それ以上の内箱部２の移動を規制する。
【００２８】
≪チャイルドロック≫
１個ずつ使い捨てされるような中身５０の場合、残りは密封して保管し、できればロック状態にして乳幼児が開封できないようにしておくことが安全上望まれる。そのための防止策として、図８(ａ)に示すように、引き出し防止キャップ３６を切り起こし線Ｂ３から切り起こす。切り起こしたことで露呈する内箱部２側に設けられている切れ目線によるロック溝Ｒ１（図３参照）に引き出し防止キャップ３６を差し込む。すなわち、図８（ｂ）に示すロック状態にして乳幼児が簡単に内箱部２を外箱部３から引き出せないようにする。
【００２９】
以上、本発明による包装箱１の好適な実施形態を説明したが、かかる実施形態に限定されるものではなく、本発明の主旨を逸脱しない範囲内でその他の実施形態、応用例、変形例も可能である。特に、図３で示す展開図形シートＳの各部の大きさや形状についてもあくまで一例であり、これによって組み立てられた図１(ａ)，（ｂ）に示す包装箱１の外観についてもこれに限定されるものではない。
【図面の簡単な説明】
【００３０】
【図１】同図(ａ)，（ｂ）は本発明に係る包装箱の商品パッケージとして出荷状態の実施形態を示す表側外観図と裏側外観図。
【図２】購入したユーザが切取短冊部を除去して包装箱を開封する状態を示す図。
【図３】本実施形態の包装箱を組立前の展開シートを示す図。
【図４】包装箱組立工程において中身物品を内箱部に充填する前の段階まで箱体として組み立てられた状態を示す。
【図５】中身物品を充填する工程を示す図。
【図６】ユーザが中身物品を内箱部から取り出し易くするために入口開口部を切り取って広くする態様を示す図。
【図７】中身物品の取り出し時に内箱部が外箱部から完全に抜脱しないようにストッパ規制する態様を示す図。
【図８】同図(ａ)，（ｂ）はユーザが開封後に中身保管のためにチャイルドロック状態にする様子を示す図。
【符号の説明】
【００３１】
１          包装箱
２          内箱部
３          外箱部
４          パッケージ開封用の切取短冊部
２１，２２  主面部
２３        側面部
21a,21b     蓋部
22a,22b     蓋部
２１ｃ      糊代部
３１，３２  主面部
３３，３４  側面部
３５        折り返し部
３５ａ      内箱部スライド用の長窓
３６        引き出し防止フラップ
Ｌ１〜      折線
Ｂ１〜      切取線
４１        ストッパ部
５０        商品の中身
【図１】
2008285176.tif 000003
【図２】
2008285176.tif 000004
【図３】
2008285176.tif 000005
【図４】
2008285176.tif 000006
【図５】
2008285176.tif 000007
【図６】
2008285176.tif 000008
【図７】
2008285176.tif 000009
【図８】
2008285176.tif 000010